(57)【要約】  【課題】  少ない部品点数でコストアップを招くことなくユーザーが容易に多段速度操作でき、更に操作音の少ないカメラを提供する。  【解決手段】  被写体像を結像させる変倍可能なレンズ鏡筒、該レンズ鏡筒の撮影画角を変化させる為の回転式の操作部材、該操作部材の回転軸摺動部に摩擦抵抗を与えるブレーキ部材、該ブレーキ部材の摺動部を変位させ摩擦抵抗を変化させる摩擦抵抗変位部材をそれぞれ有し、該摩擦抵抗変位部材の一部が該操作部材から突出したことを特徴とする。更に、スナップフィットにより該回転式操作部材に保持された撮影指示を行う為のレリーズボタンを有し、該レリーズボタンのスナップフィット腕部が摩擦抵抗を与えるブレーキ部となっていることを特徴としている。【選択図】  図１
2013020101.tif 000002
【特許請求の範囲】
【請求項１】
被写体像を結像させる変倍可能なレンズ鏡筒、該レンズ鏡筒の撮影画角を変化させる為の回転式の操作部材、該操作部材の回転軸摺動部に摩擦抵抗を与えるブレーキ部材、該ブレーキ部材の摺動部を変位させ摩擦抵抗を変化させる摩擦抵抗変位部材をそれぞれ有し、該摩擦抵抗変位部材の一部が該操作部材から突出したことを特徴とするカメラ。
【請求項２】
スナップフィットにより該回転式操作部材に保持された撮影指示を行う為のレリーズボタンを有し、該レリーズボタンのスナップフィット腕部が摩擦抵抗を与えるブレーキ部となっていることを特徴とする請求項１に記載のカメラ。
【発明の詳細な説明】
【技術分野】
【０００１】
本発明は、撮影画角を変化させる為の操作部材を備えるカメラに関するものである。
【背景技術】
【０００２】
近年デジタルカメラにおいては高性能化に伴い、被写体像を結像する撮影レンズの高倍率化が図られている。このようなデジタルカメラにおいては、撮影画角を決定する為に回転式のズームレバーが用いられる場合が多い。
【０００３】
デジタルカメラ使用者は撮影時にズームレバーを回転操作することで所望の撮影画角に調整することができる。
【０００４】
ところで、通常コンパクト型のデジタルカメラにおいては、仕様上ズームレバーの回転角度に依存せず一定の速度でズームが制御される場合が多い。
【０００５】
しかしながら、高倍率化が進むほどズーム速度は一定ではなく、例えば低速、高速の２段といった多段操作が望まれる。
【０００６】
これは例えば被写体が遠くにある場合、すばやく望遠側へ画角を変化させ、所望の画角に近づいたところでゆっくり変化させて画角を決定するといった操作が頻繁に行われるためである。
【０００７】
ところがこの場合、使用者が低速、高速のコントロールを行うことが難しく直感的な操作がし難い為、操作に慣れを必要としていた。
【０００８】
上記のような課題を実現させる為に、従来例えば特許文献１に記載の構成が取られている。
【０００９】
特許文献１に記載の技術によれば、ズームレバーの回転角度を大きく変位させた場合に負荷を増加させる負荷増加手段を備えることで速度の切り替え点をユーザーへ容易に伝えることを可能としている。
【００１０】
また一方で近年のデジタルカメラの高性能化に伴い、動画撮影機能が向上している。
【００１１】
それに伴い、ズームレバー操作時の操作音の低減も要求が高くなっている。
【００１２】
これは動画撮影時にズーム操作をズームレバーを用いて行った場合、ズームレバーから素早く指を離すと中立位置復帰時に発生する弾き音等の操作音がズームレバーやバネから発生し、音声として同時に記録されてしまうからである。
【００１３】
上記のような操作音低減の為に、従来例えば特許文献２に記載の構成が取られている。
【００１４】
特許文献２に記載の技術によれば、ズームレバーの中立位置を保つために磁石を用いることで、中立位置復帰時の音を低減することが可能としている。
【先行技術文献】
【特許文献】
【００１５】
【特許文献１】特開2006-304002号公報
【特許文献２】特開2005-183081号公報
【発明の概要】
【発明が解決しようとする課題】
【００１６】
しかしながら、上記の特許文献１に開示の構成においては、負荷増加手段を別部品として用意する必要がある為、部品点数の増加を招き結果としてコストアップとなり、また配置に十分なスペースを要する為、小型化を阻害していた。
【００１７】
また上記の特許文献２に開示の構成においても、磁石を用いる必要がある為コストアップを招いていた。
【００１８】
上記の課題に鑑みて、本発明ではコストアップを招くことなくユーザーが容易に多段速度操作でき、更に操作音の少ないカメラを提供することを目的とする。
【課題を解決するための手段】
【００１９】
上記目的を達成するために本発明は
被写体像を結像させる変倍可能なレンズ鏡筒、該レンズ鏡筒の撮影画角を変化させる為の回転式の操作部材、該操作部材の回転軸摺動部に摩擦抵抗を与えるブレーキ部材、該ブレーキ部材の摺動部を変位させ摩擦抵抗を変化させる摩擦抵抗変位部材をそれぞれ有し、該摩擦抵抗変位部材の一部が該操作部材から突出したことを特徴としている。
【００２０】
また、本発明の他の特徴とするところは、
スナップフィットにより該回転式操作部材に保持された撮影指示を行う為のレリーズボタンを有し、該レリーズボタンのスナップフィット腕部が摩擦抵抗を与えるブレーキ部となっていることを特徴としている。
【発明の効果】
【００２１】
以上説明したように、本発明によれば、
少ない部品点数でコストアップを招くことなくユーザーが容易に多段速度操作でき、更に操作音の少ないカメラを提供することが可能となる。
【図面の簡単な説明】
【００２２】
【図１】本発明の実施の形態におけるデジタルカメラのズームレバー部斜視図である。
【図２】本発明の実施の形態におけるデジタルカメラの正面側斜視図である。
【図３】本発明の実施の形態におけるデジタルカメラの背面側斜視図である。
【図４】本発明の実施の形態におけるデジタルカメラのズームレバー部分解斜視図である。
【図５】本発明の実施の形態におけるデジタルカメラのズームレバー部断面図である。
【発明を実施するための形態】
【００２３】
［実施例］
以下、本発明の実施の形態を図面に基づいて説明する。
【００２４】
図２は本発明の実施例のデジタルカメラを示す正面側斜視図である。
【００２５】
１はデジタルカメラ本体を示し、２はレンズ鏡筒を示す。デジタルカメラ１は２のレンズ鏡筒より得た被写体像をＣＣＤ撮像素子で受光し画像データを生成する。３はモードダイヤルを示し、使用者は回転操作を行うことにより風景モード、人物モード、動画モード等、各種撮影モードの切り替えを行うことが出来る。
【００２６】
また４はズームレバーを示し、時計回り方向に回転させることで望遠側、反時計回りに回転させることで広角側へレンズ鏡筒２の画角を変化させることが可能となっているが構成の詳細は後述する。
【００２７】
５は２段スイッチ構成のレリーズボタンとなっており、ズームレバー４と同軸上に配置され1段目のスイッチを押下するとレンズ鏡筒２内のＡＦモータを駆動させフォーカス調整を行い、２段目のスイッチを押下することで図示しないデジタルカメラ１から着脱可能なメモリーカードへ撮影画像の記憶を行う。
【００２８】
図３は本発明の実施例のデジタルカメラを示す背面側斜視図である。
【００２９】
６は液晶表示部を示し、ユーザーは撮影時のスルー画像や撮影プレビュー画像、また再生時の撮影画像等を確認することができる。７は各種操作ボタンを示し、撮影時はストロボ発光モード、ＡＦモード、ドライブモード等の切り替えが可能となり、再生時は表示する撮影画像の切り替えや画像データの削除等といった操作等を可能とするものである。
【００３０】
次に図１、図４、図５を用いてズームレバー部の詳細を説明する。
【００３１】
図１は本発明の実施例のデジタルカメラにおけるズームレバー部のみを表した図であり、更に図４は図１の状態を分解斜視図で表した図であり、図５はズームレバー部の断面を示した図である。
【００３２】
図１、図４、及び図５において、８は摩擦抵抗変位部材であり、ズームレバー４の指掛かり先端部から一部が突出している。また摩擦抵抗変位部材８は８−１のように樹脂バネ形状となっており、バネ力により常に外観側へ突出する方向へ付勢されている。
【００３３】
レリーズボタン５はズームレバー４に保持されており、９のスプリングによりボタンの浮き上がる方向へ常に付勢されているが、スナップフィットにより５−１の爪形状部がズームレバー４に引っ掛かっており抜けない構成となっている。
【００３４】
また５−２のスナップフィット腕形状は１０に示すベース部材の孔の内径と摺動し摩擦抵抗を発生させるブレーキ部材となっている。またこのベース部材の孔はズームレバー４と軸嵌合しており、ズームレバー回転時の回転軸を形成している。
【００３５】
摩擦抵抗変位部材８は５−２のスナップフィット腕形状部と当接しており、矢印の方向へ摩擦抵抗変位部材８が押圧されるとスナップフィット腕形状部５−２が回転軸中心側へ変位しベース部材１０との摩擦抵抗が低減する。
【００３６】
また１１はホルダーを示し、ベース部材１０を挟み込む形でズームレバー４と固定されており、ズームレバー４が回転すると共に回転し、１１−１のスイッチ押し形状部により１２のズームスイッチのＯＮ／ＯＦＦを行う。ここでズームスイッチ１２はズームレバー４の回転角度に応じて二段階の出力を行い、具体的には１０度未満の変位で低速、１０度以上の変位で高速のズーム指令が行われる。
【００３７】
上述の構成によりデジタルカメラ１の使用者は突出した摩擦抵抗変位部材８を押圧しながらズームレバー４を操作することで、摩擦抵抗が低減する為、回転負荷の小さい操作が行える。
【００３８】
また、突出した摩擦抵抗変位部材８を押圧せずにズームレバー４を操作した場合は、摩擦抵抗が大きい為、ブレーキがかかり回転負荷の大きい操作が行える。
【００３９】
より具体的なシチュエーションを想定すると、例えば被写体が遠くにある場合、まず摩擦抵抗変位部材８の突出部を押圧することでズームレバー４を軽い操作力で一気に回転させることができ、それにより高速のズームで所望の画角へ速く近づけることが可能となる。
【００４０】
その後の微調整は摩擦抵抗変位部材８を押さずにズームレバー４を操作すれば回転負荷が大きい為不用意にズームレバー４を大きく回転させてしまうことがなく、低速のズームでより細かな画角設定が可能となる。
【００４１】
またスナップフィット腕形状５−２がベース部材１０と摩擦抵抗を発生させていることで、操作音の低減も図ることが可能となる。
【００４２】
これは例えば、ズームレバー４を摩擦抵抗変位部材８を押圧しながらストップ位置まで回し切った状態で指を離したとしても樹脂バネ形状８−１により外観側へ摩擦抵抗変位部材８が変位する為である。即ち、再びレリーズボタンのスナップフィット腕形状５−２とベース部材１０との間で摩擦力が発生しブレーキのかかった状態で中立位置へ戻ることとなる。
【００４３】
以上説明したように本実施の形態によれば、少ない部品点数でコストアップを招くことなくユーザーが容易に多段速度操作でき、更に操作音の少ないズームレバーを提供することが可能となる。
【符号の説明】
【００４４】
１  ：デジタルカメラ
２  ：レンズ鏡筒
４  ：ズームレバー
５  ：レリーズボタン
８  ：摩擦抵抗変位部材
１０：ベース部材
１１：ホルダー
１２：ズームスイッチ
【図１】
2013020101.tif 000003
【図２】
2013020101.tif 000004
【図３】
2013020101.tif 000005
【図４】
2013020101.tif 000006
【図５】
2013020101.tif 000007